(57)【要約】【課題】窯業系サイディングに設けられた横方向の目地の連続性を保つことができるとともに、意匠性に優れ、外観の向上に寄与する役物を提供する。【解決手段】化粧用の縦横の模様目地を有する窯業系サイディングを上下左右に並べて外壁パネルを施工する際に用いる役物であって、該役物１は、カバー部１１とこのカバー部１１を保持する保持部１２とベース部１３とからなり、上記カバー部１１には、上記サイディング３の横方向の模様目地３１が連続するように溝部１１ａが設けられるとともに、このカバー部１１の上端部１１ｂ、１１ｃと下端部１１ｄとは嵌合して、上記サイディング３の上下の継目の横目地３２が連続するように凹部を形成する。【選択図】図１
2005171656.tif 000002
【特許請求の範囲】
【請求項１】
化粧用の縦横の模様目地を有する窯業系サイディングを上下左右に並べて外壁パネルを施工する際に用いる役物であって、該役物は、カバー部とこのカバー部を保持する保持部とベース部からなり、上記カバー部には、上記サイディングに凹設された横方向の模様目地が連続するように溝部が設けられるとともに、このカバー部の上端部と下端部とは嵌合して、上記サイディングの上下の継目の横目地が連続するよう、凹部を形成するようにされた窯業系サイディング用役物。
【請求項２】
上記サイディング用役物が出隅部に取付けられる出隅用ジョイナである請求項１に記載の窯業系サイディング用役物。
【請求項３】
上記サイディング用役物が平面における接合部に取付けられる平面用ジョイナである請求項１に記載の窯業系サイディング用役物。
【請求項４】
上記カバー部が柄物アルミ板から形成された請求項１に記載の窯業系サイディング用役物。
【発明の詳細な説明】
【技術分野】
【０００１】
本発明は、サイディング用役物に関する。さらに詳しくは、既存の駆体に外壁パネルとして取付けられる窯業系サイディングを施工する際に用いる役物の構造に関する。
【背景技術】
【０００２】
近年、建物のデザインが多様化するにつれて、天然の石積み風、レンガ積み風の外装を有する個人住宅や集合住宅が増加している。この場合、実際に石積み、レンガ積みをすれば、コストが高くつくため、上記した風合いを持つように縦横の模様目地が凹設された窯業系サイディングを、外壁パネルとして駆体に取付けることが一般的に行なわれている。このとき、上記窯業系サイディングの出隅部および平面における接合部は、駆体に固定されたベース部材に保持部材を介して出隅用カバー部材および平面用カバー部材を嵌合し、上記接合面を覆って目隠しするとともに、雨等による浸水を防いでいる。
【特許文献１】特開平６−２６４５８６号公報（第１−３頁、第１図）
【特許文献２】実開平４−１１９０１０号公報（第１−２頁、第１図）
【特許文献３】特開平１０−１８３９３７号公報（第１−５頁、第１図）
【特許文献４】特開２０００−２８２６７３号公報（第１−３頁、第１図）
【特許文献５】特開平１０−２６６５２１号公報（第１−３頁、第２図、第４図）
【発明の開示】
【発明が解決しようとする課題】
【０００３】
しかしながら、上記窯業系サイディングの接合面を上記先行技術に記載のカバー部材で覆うと横方向の目地の連続性が損なわれ、外観上好ましくないものとなる。本発明はこのような問題を解決し、窯業系サイディングに凹設された化粧用の横方向の模様目地の連続性を保ち、かつ、窯業系サイディング自体の上下の継目に形成される横目地の連続性をも保つことのできる役物を提供することをその課題とする。
【課題を解決するための手段】
【０００４】
本発明は、上記課題を解決するために考え出されたものであって、つぎのような技術的手段を講じている。すなわち、本発明によれば、化粧用の縦横の模様目地を有する窯業系サイディングを上下左右に並べて外壁パネルを施工する際に用いる役物であって、該役物は、カバー部とこのカバー部を保持する保持部とベース部とからなり、上記カバー部には、上記サイディングに凹設された横方向の模様目地が連続するように溝部が設けられるとともに、このカバー部の上端部と下端部とは嵌合して、上記サイディングの上下の継目の横目地が連続するよう、凹部を形成するようにされた窯業系サイディング用役物が提供される。
【０００５】
上記窯業系サイディング用役物が上記サイディングを角部で突合せて形成される出隅部に取付けられる出隅用ジョイナとされる。また、上記窯業系サイディング用役物が上記サイディングを平面で接合して形成される接合部を覆う平面用ジョイナとされる。また、上記カバー部が窯業系サイディングの模様と同様の柄を有する柄物アルミ板から形成されることが好ましい。
【発明の効果】
【０００６】
請求項１に記載の発明は上記のとおりであり、とくに、カバー部には、窯業系サイディングに凹設された化粧用の横方向の模様目地が連続するように溝部が設けられているため、窯業系サイディングの化粧用横目地の連続性を保つことができる。また、カバー部の上端部と下端部とは嵌合して上記窯業系サイディングの上下の継目と連続するように凹部を形成するため、窯業系サイディング自体の上下の継目に形成される横目地の連続性をも保つことができる。
【０００７】
上記サイディング用役物が出隅部に取付けられる出隅用ジョイナであるため、出隅部における横目地の連続性を保ち、外観の向上を図ることができる。また、上記サイディング用役物が平面における接合部に取付けられる平面用ジョイナであるため、平面部における横目地の連続性を保ち、外観の向上を図ることができる。
【０００８】
上記カバー部が窯業系サイディングの模様と同様の柄を有する柄物アルミ板から形成されるため、模様の一貫性が保たれ、意匠性に優れたものとすることができる。
【発明を実施するための最良の形態】
【０００９】
以下、本発明にかかるサイディング用役物の実施形態について図面を参照して、詳細に説明する。図１は、上記サイディング用役物を施工した状態を示す部分斜視図である。図１において、窯業系サイディング３には、２条の横方向の模様目地３１が凹設され、１枚のパネルが３段石積み風に形成されるとともに、窯業系サイディング３どうしの上下の継目は横目地３２を形成する。また、角部における突合せ部には出隅用ジョイナ１が取付けられ、平面部には平面用ジョイナ２が取付けられるとともに、上記出隅用ジョイナ１および平面用ジョイナ２の外部に露出する後記カバー部１１および２１には、窯業系サイディング３と同じ模様がデザインされている。
【００１０】
図２は、上記出隅用ジョイナ１のカバー部１１を表す斜視図であり、窯業系サイディング３に凹設された２条の化粧用の横方向模様目地３１と連続するよう、その一部を絞り加工して溝部１１ａが設けられている。図３は、図１におけるＡ−Ａ線に沿う出隅用ジョイナ１の側断面図であり、窯業系サイディング３の角部における突合せ部を納めた状態を示す。
【００１１】
図３からよくわかるように、出隅用ジョイナ１はカバー部１１と保持部１２とベース部１３とからなり、出隅用ジョイナ１のカバー部１１の側端部は折り返されて鉤型の係止部１１１を形成し、保持部１２は上記係止部１１１と係合する係合片１２１を有するとともに、嵌合用脚部１２２を有している。一方、保持部１２の嵌合用脚部１２２は、駆体４のコーナー部に固定されたベース部１３の嵌合用凸部１３１に内設された２段の嵌合用爪部１３２と嵌合する。
【００１２】
このように、カバー部１１は、保持部１２を介してベース部１３に取付けられて出隅５を覆うとともに、ベース部１３と共同して窯業系サイディング３を挟持するように保持する。なお、符号６は、雨水等の侵入を防ぐための防水用パッキンである。また、カバー部１１の装着は、上方から係合片１２１を鉤型の係止部１１１内に挿入するように押し込むことによって行なう。
【００１３】
図４は、図１におけるＢ−Ｂ線に沿う出隅用ジョイナ１の側断面図であり、図３における場合と同様に、保持部１２を介して窯業系サイディング３に凹設された化粧用の横方向の模様目地３１が上記溝部１１ａ（図１参照）と連続するように納められた状態を示す。図１および図４から、上記溝部１１ａが防水用パッキン６を介して模様目地３１に内接するため、上記模様目地３１が連続するような外観となり、意匠性が向上することが明らかである。
【００１４】
また、図２に示されているように、カバー部１１の上端部には、水返し１１ｂが設けられるとともに、凹部１１ｃが設けられ、上記カバー部１１の上端部は、上方に設けられたカバー部１１の下端部１１ｄと嵌合する。嵌合後は、図１に示すように、窯業系サイディング３の上下の継目に形成された横目地３２に連続して凹部１１ｃが位置するため、横目地３２の連続性が保たれ、意匠性が向上することが明らかである。
【００１５】
図５は、上記平面用ジョイナ２のカバー部２１を表す斜視図であり、窯業系サイディング３に凹設された２条の化粧用の横方向の模様目地３１と連続するよう、その一部を絞り加工して溝部２１ａが設けられている。図６は、図１におけるＡ−Ａ線に沿う平面用ジョイナ２の側断面図であり、窯業系サイディング３の平坦部を納めた状態を示す。
【００１６】
図６からよくわかるように、平面用ジョイナ２のカバー部２１の側端部は折り返されて鉤型の係止部２１１を形成し、保持部２２は上記係止部２１１と係合する係合片２２１を有するとともに、嵌合用脚部２２２を有している。一方、保持部２２の嵌合用脚部２２２は、駆体４の平面部に固定されたベース部２３の嵌合用凸部２３１に内設された２段の嵌合用爪部２３２と嵌合する。このように、カバー部２１は、保持部２２を介してベース部２３に取付けられ、サイディング３を平面で接合して形成される接合部を覆うとともに、ベース部２３と共同して窯業系サイディング３を挟持するように保持する。なお、符号６は、雨水等の侵入を防ぐための防水用パッキンである。また、カバー部２１の装着は、上方から係合片２２１を鉤型の係止部２１１内に挿入するように押し込んで行なう。
【００１７】
図７は、図１におけるＢ−Ｂ線に沿う平面用ジョイナ２の側断面図であり、窯業系サイディング３に設けられた化粧用の横方向の模様目地３１が溝部１１ａと連続するように納められた状態を示す。図１および図７から、上記溝部２１ａが防水用パッキン６を介して模様目地３１に内接するため、模様目地３１が連続するような外観を与え、意匠性が向上することが明らかである。
【００１８】
また、図５に示されているように、カバー部２１の上端部には、水返し２１ｂが設けられるとともに、凹部２１ｃが設けられ、上記カバー部２１の上端部は、上方に設けられたカバー部２１の下端部２１ｄと嵌合する。嵌合後は、図１に示すように、窯業系サイディング３自身の上下の継目に形成された横目地３２に連続して凹部２１ｃが位置するため、横目地３２の連続性が保たれ、意匠性が向上することが明らかである。
【００１９】
また、出隅用ジョイナ１の保持部１２および平面用ジョイナ２の保持部２２にそれぞれ内設された嵌合用爪部１３２および２３２は２段に設けられているが、
サイディングの厚さに適応して１段で使用することも可能である。すなわち、図３、図４と図６、図７において、上記嵌合用爪部１３２および２３２を１段で嵌合すれば、図示した窯業系サイディング３よりも厚手のものを保持することができる。このように、本発明にかかる窯業系サイディング用役物は、適用されるサイディングの厚みに応じて２段階に調節することが可能である。
【図面の簡単な説明】
【００２０】
【図１】本発明にかかる窯業系サイディング用役物を施工した状態を示す部分斜視図である。
【図２】図１おける出隅用ジョイナのカバー部を表す斜視図である。
【図３】図１におけるＡ−Ａ線に沿う出隅用ジョイナの側断面図である。
【図４】図１におけるＢ−Ｂ線に沿う出隅用ジョイナの側断面図である。
【図５】図１における平面用ジョイナのカバー部を表す斜視図である。
【図６】図１におけるＡ−Ａ線に沿う平面用ジョイナの側断面図である。
【図７】図１におけるＢ−Ｂ線に沿う平面用ジョイナの側断面図である。
【符号の説明】
【００２１】
１        出隅用ジョイナ
１１      上記のカバー部
１１ａ    同上に設けられた溝部
１１ｂ    同上上端部の水返し
１１ｃ    同上上端部を構成する凹部
１１ｄ    同上下端部
１１１    同上の側端部を折り返して形成された係止部
１２      上記の保持部
１２１    同上係合片
１２２    同上嵌合用脚部
１３      上記のベース部
１３１    同上嵌合用凸部
１３２    同上に内設された嵌合用爪部
２        平面用ジョイナ
２１      上記のカバー部
２１ａ    同上に設けられた溝部
２１ｂ    同上上端部の水返し
２１ｃ    同上上端部を構成する凹部
２１ｄ    同上下端部
２１１    同上の側端部を折り返して形成された係止部
２２      上記の保持部
２２１    同上係合片
２２２    同上嵌合用脚部
２３      上記のベース部
２３１    同上嵌合用凸部
２３２    同上に内設された嵌合用爪部
３        窯業系サイディング
３１      目地模様
３２      横目地
４        駆体
５        出隅
６        防水用パッキン
【図１】
2005171656.tif 000003
【図２】
2005171656.tif 000004
【図３】
2005171656.tif 000005
【図４】
2005171656.tif 000006
【図５】
2005171656.tif 000007
【図６】
2005171656.tif 000008
【図７】
2005171656.tif 000009